(57)【特許請求の範囲】
【請求項１】
支柱の前面に設けられて商品データを光学的に読み取る固定スキャナ部と、
前記商品データを光学的に読み取るハンドスキャナと、
前記支柱の側面に設けられて前記ハンドスキャナを保持する載置部と、を備え、
前記ハンドスキャナは、読取部と、把持部と、前記読取部と接続されて前記把持部の端部から導出されたケーブルとを有し、
前記ケーブルは、前記支柱の側面に設けられた引き出し口から引き出され、該引き出し口で固定されており、
前記載置部に、前記ハンドスキャナが、前記読取部が上向きになりかつ前記把持部が所定の角度で前記支柱側に傾くように保持されることによって、前記ハンドスキャナの端部から延びて垂れ下がった前記ケーブルが、前記支柱の前面及び側面から所定の距離の空間内に収まる、据え置き型スキャナ装置。
【請求項２】
前記載置部は、基盤プレートと、前記基盤プレートから突出した互いに対向する２本のアームと、前記読取部の下面と当接する下面当接部とを備え、前記２本のアームはそれぞれ、前記ハンドスキャナの前記読取部における前記把持部寄りの側面と当接する側面当接部を有する、請求項１に記載の据え置き型スキャナ装置。
【請求項３】
前記ハンドスキャナの前記読取部と前記把持部とは、側面から見て所定の角度をなし、かつ前記ハンドスキャナの側面間が前記読取部から前記把持部に近づくにつれて狭くなる先狭形状となっており、該先狭形状となっている側面に前記側面当接部が当接する、請求項２に記載の据え置き型スキャナ装置。
【請求項４】
前記下面当接部は、前記基盤プレートと前記２本のアームのそれぞれの根元部、もしくは前記基盤プレートの中央部のいずれか一方に形成されている、請求項２又は３に記載の据え置き型スキャナ装置。
【請求項５】
前記側面当接部は、前記アームの突出方向に対して上方に向かうスロープ、もしくは前記アームの突出方向に平行な水平のいずれか一方の形状を有し、前記側面当接部が水平である場合には、前記載置部は前記ハンドスキャナの上面の一部と当接する立上がり部をさらに有する、請求項２〜４のいずれか１項に記載の据え置き型スキャナ装置。
【請求項６】
前記前面及び側面から所定の距離の空間内とは、前記据え置き型スキャナ装置がチェッカー台に設置される際、前記支柱の前面及び側面を保護するように前記チェッカー台に設けられる支柱ガードと前記支柱との間の空間内である、請求項１〜５のいずれか１項に記載の据え置き型スキャナ装置。
【請求項７】
チェッカー台と、
前記チェッカー台に立設された支柱と、
前記支柱の前面及び側面を保護するように前記チェッカー台に設けられる支柱ガードと、
前記支柱の前面に設けられて商品データを光学的に読み取る固定スキャナ部と、
前記商品データを光学的に読み取るハンドスキャナと、
前記支柱の側面に設けられて前記ハンドスキャナを保持する載置部と、を備え、
前記ハンドスキャナは、読取部と、把持部と、前記読取部と接続されて前記把持部の端部から導出されたケーブルとを有し、
前記ケーブルは、前記支柱の側面に設けられた引き出し口から引き出され、該引き出し口で固定されており、
前記載置部に、前記ハンドスキャナが、前記読取部が上向きになりかつ前記把持部が所定の角度で前記支柱側に傾くように保持されることによって、前記ハンドスキャナの端部から延びて垂れ下がった前記ケーブルが、前記支柱ガードと前記支柱との間の空間内に収まる、据え置き型スキャナシステム。
【請求項８】
支柱の前面に設けられて商品データを光学的に読み取る固定スキャナ部と、
前記商品データを光学的に読み取るハンドスキャナと、を備える据え置き型スキャナ装置に適用される前記ハンドスキャナの載置構造であって、
前記支柱の側面に設けられて前記ハンドスキャナを保持する載置部を備え、
前記ハンドスキャナは、読取部と、把持部と、前記読取部と接続されて前記把持部の端部から導出されたケーブルとを有し、
前記ケーブルは、前記支柱の側面に設けられた引き出し口から引き出され、該引き出し口で固定されており、
前記載置部に、前記ハンドスキャナが、前記読取部が上向きになりかつ前記把持部が所定の角度で前記支柱側に傾くように保持されることによって、前記ハンドスキャナの端部から延びて垂れ下がった前記ケーブルが、前記支柱の前面及び側面から所定の距離の空間内に収まる、ハンドスキャナの載置構造。
【発明の詳細な説明】
【技術分野】
【０００１】
本発明は、据え置き型スキャナ装置、据え置き型スキャナシステム、及びハンドスキャナの載置構造に関する。
【背景技術】
【０００２】
光学読取装置である据え置き型スキャナ装置（縦型スキャナ装置とも呼ぶ）は、支柱の前面（据え置き型スキャナ装置の正面側に向いた面である）に備えられた固定のスキャナ部に顧客が購入する商品をかざし、商品のバーコードをスキャンして商品登録するために使用する。据え置き型スキャナ装置は、支柱の前面に備えられたスキャナ部とは別に、顧客が購入する商品のバーコードをスキャンして商品登録するためのハンドスキャナを備えている。
【０００３】
関連する据え置き型スキャナ装置を図９に示す。図９（ａ）は、チェッカー台（サッカー台とも呼ばれる）に設置された据え置き型スキャナ装置を正面から見た図である。図９（ｂ）は、据え置き型スキャナ装置の側面図であり、据え置き型スキャナ装置を買物カゴを載置したカートとともに示している。
【０００４】
据え置き型スキャナ装置は、支柱２１を介して設けたキーボード２２及び表示部２３を備えている。支柱２１には表示部２３より少し下方の位置に固定のスキャナ部１１を設置している。
【０００５】
ハンドスキャナ１０は、不使用時には、支柱２１の上部側面に設けた載置部１２に載置する。ハンドスキャナ１０には、据え置き型スキャナ装置内部からケーブル１３が延びている。ケーブル１３は、据え置き型スキャナ装置内部から、チェッカー台２０の下を通り（図示しない）、チェッカー台２０の正面から、ハンドスキャナ１０へと延びている。
【０００６】
載置部１２に載置されているハンドスキャナ１０の把持部は、ほぼ垂直方向の下方に向いているため、ケーブル１３も垂直方向に垂れ下がり、チェッカー台２０の台面よりも下方に垂れ下がっている。このため、ハンドスキャナ１０を使用せずに、支柱の前面に備えられたスキャナ部でスキャンを行う際、買物カゴや商品がケーブル１３に当たってスキャン操作時に邪魔になることがある。そのため、そのようなことにならないようケーブル１３を避けたり、ケーブル１３を寄せたりする等の配慮をする必要があった。
【０００７】
また、チェッカー台２０と平行に延びる顧客用通路を通る買物カゴを載せたカートが、チェッカー台２０から垂れ下がったハンドスキャナ１０のケーブル１３を引っ掛けてしまうという不具合も発生する可能性がある。そのため、そのようなことにならないようケーブル１３がチェッカー台２０から垂れ下がらないようにしておく等の配慮をする必要があった。
【０００８】
特許文献１は、縦型スキャナ装置に取り付けられて、ハンドスキャナのＯＮ／ＯＦＦが可能であるハンドスキャナの固定器具を開示している。
【先行技術文献】
【特許文献】
【０００９】
【特許文献１】特開２０１０−２５７１２０号公報
【発明の概要】
【発明が解決しようとする課題】
【００１０】
しかしながら、特許文献１は、ハンドスキャナを固定する方法を記載しているのみであって、ハンドスキャナのケーブルに起因する課題やその解決手段について、なんら考慮していない。
【００１１】
本発明の目的は、ハンドスキャナの不使用時に、ハンドスキャナのケーブルについて、特段の配慮をする必要のない据え置き型スキャナ装置を提供することにある。
【課題を解決するための手段】
【００１２】
本発明の据え置き型スキャナ装置は、支柱の前面に設けられて商品データを光学的に読み取る固定スキャナ部と、前記商品データを光学的に読み取るハンドスキャナと、前記支柱の側面に設けられて前記ハンドスキャナを保持する載置部と、を備え、前記載置部は、前記ハンドスキャナを、その端部から延びるケーブルが前記支柱の前面及び側面から所定の距離の空間内に収まるように保持する。
【００１３】
本発明の据え置き型スキャナシステムは、チェッカー台と、前記チェッカー台に立設された支柱と、前記支柱の前面及び側面を保護するように前記チェッカー台に設けられる支柱ガードと、前記支柱の前面に設けられて商品データを光学的に読み取る固定スキャナ部と、前記商品データを光学的に読み取るハンドスキャナと、前記支柱の側面に設けられて前記ハンドスキャナを保持する載置部と、を備え、前記載置部は、前記ハンドスキャナを、その端部から延びるケーブルが、前記支柱ガードと前記支柱との間の空間内に収まるように保持する。
【００１４】
本発明のハンドスキャナの載置構造は、支柱の前面に設けられて商品データを光学的に読み取る固定スキャナ部と、前記商品データを光学的に読み取るハンドスキャナと、を備える据え置き型スキャナ装置に適用される前記ハンドスキャナの載置構造であって、前記支柱の側面に設けられて前記ハンドスキャナを保持する載置部を備え、前記載置部は、前記ハンドスキャナを、その端部から延びるケーブルが前記支柱の前面及び側面から所定の距離の空間内に収まるように保持する。
【発明の効果】
【００１５】
本発明によれば、ハンドスキャナの不使用時に、付属するハンドスキャナのケーブルについて、特段の配慮をする必要のない据え置き型スキャナ装置を提供することができる。
【図面の簡単な説明】
【００１６】
【図１Ａ】チェッカー台に設置された据え置き型スキャナ装置を示す斜視図である。
【図１Ｂ】チェッカー台に設置された据え置き型スキャナ装置を示す正面図である。
【図１Ｃ】図１Ｂに示された載置部と、ハンドスキャナと、ケーブルとを示す拡大図である。
【図２】本発明に係る第１の実施形態の載置部の構成を示す図であり、（ａ）は斜視図、（ｂ）は分解図である。
【図３】本発明に係る第１の実施形態の載置部を示す図であり、（ａ）は正面図、（ｂ）は側面図、（ｃ）は上面図、（ｄ）は断面図である。
【図４Ａ】本発明に係る第１の実施形態の載置部に置かれている状態のハンドスキャナ載置部の中央部分の断面を示す図である。
【図４Ｂ】図４Ａに示された載置部に置かれている状態のハンドスキャナを示す正面図であり、載置部のアームは断面図を示している。
【図４Ｃ】図４Ａに示された載置部に置かれている状態のハンドスキャナを示す側面図である。
【図４Ｄ】図４ＣのＢ−Ｂ’線の断面図である。
【図４Ｅ】図４Ａに示された載置部に置かれている状態のハンドスキャナを示す上面図である。
【図４Ｆ】図４ＥのＣ−Ｃ’線の断面図である。
【図５】ハンドスキャナを示す図であり、（ａ）は、ハンドスキャナを示す斜視図である。（ｂ）は、ハンドスキャナを背面から見た図である。
【図６】ハンドスキャナの載置の様子を示す図であり、（ａ）は、載置部にハンドスキャナを載置した状態を示す正面図である。（ｂ）は、（ａ）の側面図である。
【図７】チェッカー台に設置された据え置き型スキャナ装置を示す図であり、（ａ）は、チェッカー台に設置された据え置き型スキャナ装置を示す正面図である。（ｂ）は、チェッカー台に設置された据え置き型スキャナ装置を示す側面図である。
【図８Ａ】本発明に係る第２の実施形態の載置部にハンドスキャナを載置した状態を示す上面図である。
【図８Ｂ】図８Ａに示された載置部にハンドスキャナを設置した様子を示す側面図である。
【図８Ｃ】図８Ａに示された載置部のみの上面図である。
【図８Ｄ】図８ＣのＥ−Ｅ’線の断面図である。
【図９】関連する据え置き型スキャナ装置を示す図であり、（ａ）は、チェッカー台に設置された据え置き型スキャナ装置を示す正面図である。（ｂ）は、チェッカー台に設置されたスキャナ装置を示す側面図である。
【発明を実施するための形態】
【００１７】
以下、図面を参照しながら、本発明の実施形態について詳細に説明する。なお、同様な内容については繰り返しの煩雑を避けるために、適宜説明を省略する。
【００１８】
［１．第１の実施形態］
図１〜図７を参照して、本発明の第１の実施形態について説明する。
【００１９】
図１Ａは、チェッカー台に設置された据え置き型スキャナ装置の斜視図である。図１Ｂは、チェッカー台に設置された据え置き型スキャナ装置を、買物カゴを加えて正面からみた図である。図１Ｃは、ハンドスキャナの載置部、載置されているハンドスキャナ、ハンドスキャナのケーブル（全部を図示してはいない）のみを拡大して示した図である。
【００２０】
図１Ｂに示すように、据え置き型スキャナ装置１００は、チェッカー台１２０上に設けられた支柱（支持部）１０２の前面（据え置き型スキャナ装置の正面側に向いた面である）に設けられて商品のバーコードをスキャンする固定のスキャナ部（固定スキャナ部）１０４と、支柱１０２の上部側に設けられた店員用表示部１０６及びキーボード１０８と、ハンドスキャナの載置部（載置構造）１１０と、ハンドスキャナ１１２とを備えている。なお、支柱（支持部）１０２の前面の左側と右側の面を支柱の側面と称し、後側の面を支柱の後面と称する。図５で説明するが、ハンドスキャナ１１２は、バーコードを光学的に読み取る読取部１１６と、把持するための把持部１１８と、読取部１１６と接続され、把持部１１８内を通ってその端部から導出されたケーブル１４２を有する。支柱１０２の根元には、買物カゴ１３０等が支柱１０２に当たらないように防護するための支柱ガード１１４が設けられている。
【００２１】
図１Ｃに示すように、ハンドスキャナ１１２は載置部１１０に、その把持部１１８が下向きでかつ垂直方向に対して所定の角度Ｎ度（本例では例えば２５度程度）となるように載置される。ハンドスキャナ１１２の端部からは、ケーブルの曲りや断線を防ぐために用いられるケーブルグランド１４４を通してケーブル１４２が延びている。ケーブル１４２には、図では明らかではないが、例えばカールコードを用いる。
【００２２】
ハンドスキャナ１１２からのケーブル１４２は、容易には変形しない程度の剛性を持つケーブルグランド１４４まではハンドスキャナ１１２の把持部１１８の角度を保ち、ケーブルグランド１４４を通過した後は、垂れ下がっている。また、後述するが、ケーブル１４２は、支柱１０２に設けられた引き出し口で固定されているため、ハンドスキャナ１１２を載置部１１０に載置した時、垂れ下がったケーブル１４２の下端がチェッカー台１２０に接触しない長さとなっている。なお、ケーブル１４２は、例えば垂れ下がった下端がチェッカー台１２０に接触するが、チェッカー台１２０から垂れ下がらない程度の長さであってもよい。
【００２３】
図１Ｂ、及び図１Ｃに示す通り、ハンドスキャナ１１２のケーブル１４２は、据え置き型スキャナ装置１００の支柱１０２から所定の距離の空間内（本例では支柱ガード１１４の内側）に収まっており、チェッカー台１２０から垂れ下がってもいない。
【００２４】
図２は、載置部１１０の構成を示している。載置部１１０は、突出板１５２−１を有する金属製の基台１５２を、樹脂製の２つのモールド部品１５４Ａ、１５４Ｂで上下から挟んだ構造となっている。さらに、載置部１１０は、モールド部品１５４Ａの下面側から穴１５４Ａ−ａ、突出板１５２−１の穴１５２−１ａを通してモールド部品１５４Ｂのネジ孔にネジ１５６をねじ込んで固定している。
【００２５】
また、載置部１１０は、モールド部品１５４Ｂの基盤プレート１５８から第１アーム１６０ａと、第２アーム１６０ｂの２本のアームが延びている。第１アーム１６０ａと、第２アーム１６０ｂの２本のアーム間は、ハンドスキャナ１１２を収容する収容スペース１６２となっている。第１アーム１６０ａと、第２アーム１６０ｂの先端の間は、ハンドスキャナ１１２を載置する際にハンドスキャナ１１２を差し入れるための差し入れ口１６４となっている。図３は、載置部１１０を示す図であり、（ａ）は正面図、（ｂ）は側面図、（ｃ）は上面図、（ｄ）は正面図のＡ−Ａ’線の断面図である。側面図（ｂ）に示すＦ−Ｆ’線より左側にある部分は、支柱１０２内に収容されて固定される部分である。
【００２６】
図４Ａ〜図４Ｆは、載置部１１０に載置されている状態のハンドスキャナ１１２を拡大して示した図である。
【００２７】
図４Ａでは、載置部１１０はその中央における縦断面を示している。図４Ａに示すように、ハンドスキャナ１１２の読取部１１６の下面が、読取部１１６の側面に近い２箇所で、載置部１１０における基盤プレート１５８の左右両側に設けた当接面（図２参照）１６６に当接している。図４Ｂに示すように、ハンドスキャナ１１２の丸味を帯びた側面のうち、読取部１１６と把持部１１８の間のくびれ部に近い両側面が、載置部１１０の２本のアーム１６０ａ、１６０ｂのそれぞれに設けた側面当接面１６８ａ、１６８ｂと当接している。なお、図４Ｂでは、２本のアーム１６０ａ、１６０ｂは、当接部分における断面図を示している。
【００２８】
ハンドスキャナ１１２の読取部１１６の下面が当接する載置部１１０の当接面（下面当接面）（図２参照）１６６は、第１アーム１６０ａ、第２アーム１６０ｂの根元の２箇所に分かれて設けられているが、分けずに連続していてもよい。また、当接面１６６は、第１アーム１６０ａ、第２アーム１６０ｂの根元ではなく、例えば基盤プレート１５８の中央に１箇所設けられていてもよい。
【００２９】
図４Ｄは、図４ＣのＢ−Ｂ’線の断面図を示している。
【００３０】
ハンドスキャナ１１２は、読取部１１６の下面が載置部１１０の当接面１６６に当接し、側面が、くびれ部に近い部位で載置部１１０の２本のアームのそれぞれの側面当接面１６８ａ、１６８ｂと当接することによって、図４Ａに示す状態で保持される。
【００３１】
図４Ｅに示すように、載置部１１０を上方から見ると、第１、第２のアーム１６０ａ、１６０ｂはそれらの先端、すなわち差し入れ口１６４に近くなるにつれて、２つのアーム間が徐々に狭くなるような形状となっている。また、第１、第２のアーム１６０ａ、１６０ｂに形成した側面当接面１６８ａ、１６８ｂも、差し入れ口１６４に近くなるにつれて互いに内側に向かい、間隔が徐々に狭くなるような形状となっている。
【００３２】
図４Ｆは、図４ＥのＣ−Ｃ’線の断面図を示している。
【００３３】
図４Ｆに示すように、ハンドスキャナ１１２のくびれ部に近い側面が当接している載置部１１０の２本のアームのそれぞれの側面当接面１６８ａ（１６８ｂは図示せず）は、側面方向から見ると、ハンドスキャナ１１２の側面と当接している箇所の手前辺りから上側にスロープを描く形状となっている。
【００３４】
図４Ｄは、ハンドスキャナ１１２の側面が当接している載置部１１０の２本のアームの側面当接面１６８ａ、１６８ｂを上面から見た断面図である。
【００３５】
ハンドスキャナ１１２の側面が当接している載置部１１０の２本のアームのそれぞれの側面当接面１６８ａ、１６８ｂは、スロープを描きつつ、互いに内側に向かう形状をしている。ハンドスキャナ１１２の側面が、上述した載置部１１０の第１アーム１６０ａ、第２アーム１６０ｂの側面当接面１６８ａ、１６８ｂで当接することにより、載置時のハンドスキャナの差し入れ口１６４方向への移動（ずれ）を防止することができる。また、これにより、ハンドスキャナ１１２の載置台１１０からの落下を防止することができる。
【００３６】
ハンドスキャナ１１２の読取部１１６の下面が当接する載置部１１０の当接面１６６は、載置状態にあるハンドスキャナ１１２の把持部１１８を傾いた姿勢（下向きでかつ垂直方向に対して所定の角度となる）にするために必要なものである。すなわち、図４Ａの載置状態では、ハンドスキャナ１１２には、側面当接面１６８ａ、１６８ｂを支点として、ハンドスキャナ１１２自身の重量とケーブル１４２の重量により把持部１１８の下端部を垂直方向に向けようとする反時計回りの回転力が作用し、読取部１１６にも反時計回りの回転力が作用する。当接面１６６は上記の回転力によるハンドスキャナ１１２の回転を防止し、把持部１１８を図示の傾いた姿勢にする。一方、載置部１１０の第１アーム１６０ａと第２アーム１６０ｂのそれぞれの側面当接面１６８ａ、１６８ｂは、ハンドスキャナ１１２の把持部１１８が傾いた姿勢を維持するために必要なものである。
【００３７】
図５（ａ）は、ハンドスキャナ１１２の斜視図である。ハンドスキャナ１１２は、バーコードを読み取る読取部１１６と、把持するための把持部１１８とを有する。読取部１１６と把持部１１８とは、側面から見て所定の角度（本例では例えば１２０度程度）を成してつながるように作られている。
【００３８】
図５（ｂ）に示すように、読取部１１６は、把持部１１８に近くなるにつれて徐々に幅（側面間の距離）が狭くなって先狭形状となっている。ハンドスキャナ１１２は、読取部１１６と把持部１１８の境目辺りで最も幅が狭くなり、把持部１１８では少し幅が広くなっている。つまり、ハンドスキャナ１１２は、読取部１１６と把持部１１８の境目近くにくびれ部を持つ。しかしながら、把持部１１８は、読取部１１６と把持部１１８の境目辺りの最も狭い幅と同じであってもよいし、さらに狭い幅であってもよい。
【００３９】
図４Ｄの断面図に示すように、ハンドスキャナ１１２の側面は、丸味を帯びた形状である。ハンドスキャナ１１２は、側面が丸味を帯びた形状であることが望ましいが、例えば断面が四角形を含む多角形の形状であってもよい。
【００４０】
ハンドスキャナ１１２を載置部１１０に載置する時は、例えば使用者がハンドスキャナの把持部１１８を把持し、読取部１１６と把持部１１８の間の最も狭い部分を、第１アーム１６０ａと、第２アーム１６０ｂとの間の差し入れ口１６４に通した後、ハンドスキャナを把持している手を離す。すると、ハンドスキャナ１１２は、ハンドスキャナ１１２自身の重量とケーブル１４２の重量で載置部１１０の収容スペース１６２内に落ち込み、差し入れ口１６４方向にずれて、最終的に図４Ａの状態となる。
【００４１】
ハンドスキャナ１１２を載置部１１０から取り外す時は、ハンドスキャナ１１２の把持部１１８を把持し、読取部１１６と把持部１１８の間の最も狭い部分を第１アーム１６０ａと、第２アーム１６０ｂとの間の差し入れ口１６４を通して載置部１１０から離すようにすればよい。載置部１１０の上方は開放されており、ハンドスキャナ１１２を上方から拘束する構造ではないので、ハンドスキャナ１１２の把持部１１８を把持し、少し上方に持ち上げるだけで、容易に載置部１１０から取り出すことが可能である。
【００４２】
図６は、ハンドスキャナ１１２のケーブル１４２が、据え置き型スキャナ装置１００から引き出されている場所、即ち、ケーブルの引き出し口１７０を示している。図６（ａ）は据え置き型スキャナ装置１００の正面図である。図６（ｂ）は図６（ａ）の側面図であり、載置部１１０とハンドスキャナ１１２は図示を省略している。図６に示すように、ハンドスキャナ１１２のケーブル１４２は、据え置き型スキャナ装置１００の支柱１０２の側面に設けられた引き出し口１７０から引き出され、引き出し口１７０で固定されている。これは、引き出し口１７０からハンドスキャナ１１２までのケーブル１４２の長さが固定長であることを意味している。これにより、ハンドスキャナ１１２を載置部１１０に置いた時に、図１Ａに示すように、ケーブル１４２はその途中でＵ形状に折れ曲がり、その折れ曲がり部がチェッカー台１２０に接触しないようにしている。
【００４３】
図７（ａ）は、チェッカー台１２０に設置された据え置き型スキャナ装置１００を正面からみた図である。図７（ｂ）は、図７（ａ）の側面図であり、買物カゴ１３０を載置したカート１５０とともに示している。図７から明らかなように、ハンドスキャナ１１２が載置部１１０に載置されている時、その把持部１１８が下向きでかつ垂直方向に所定の角度（本例では例えば２５度程度）で傾斜するようにしている。そのため、ケーブル１４２が、据え置き型スキャナ装置１００の支柱１０２から所定の距離の空間内（本例では支柱ガード１１４の内側）に収まっており、チェッカー台１２０からカート１５０の通路側に垂れ下がってもいない。したがって、バーコードのスキャン操作時にケーブル１４２が邪魔になることはないし、チェッカー台１２０の脇を通る買物カゴ１３０を載せたカート１５０が、ケーブル１４２を引っ掛けてしまうという不具合も発生することはない。よって、本発明に係る第１の実施形態は、ハンドスキャナ１１２の不使用時に、付属するハンドスキャナ１１２のケーブル１４２について、特段の配慮をする必要がない。
【００４４】
［２．第２の実施形態］
次に、図８Ａ〜図８Ｄを参照して、本発明の第２の実施形態について説明する。第２の実施形態は、載置部１１０’、特に載置部１１０’の２本のアームの形状が、第１の実施形態とは異なり、他は同一である。載置部１１０’において、第１の実施形態の載置部１１０と同一の形状のものについては、同一の符号としている。
【００４５】
図８Ａは、載置部１１０’にハンドスキャナ１１２を載置した状態の上面図であり、図８Ｂは、載置部１１０’にハンドスキャナ１１２を載置した状態の側面図である。図８Ｂでは、載置部１１０’はその中央における縦断面を示している。図８Ｃは、載置部１１０’のみの上面図であり、図８Ｄは、図８ＣのＥ−Ｅ’線の断面図である。
【００４６】
ハンドスキャナ１１２の読取部１１６の下面は、第１の実施形態と同様に、読取部１１６の両側面に近い位置で載置部１１０’の２つの当接面１６６と当接している。
【００４７】
ハンドスキャナ１１２の読取部１１６の下面が当接する載置部１１０’の当接面１６６は、２本のアーム１６０ａ’、１６０ｂ’の根元の２箇所に分かれて設けられているが、分けずに連続していてもよい。また、２本のアーム１６０ａ’、１６０ｂ’の根元ではなく、例えば基盤プレート１５８の中央に１箇所設けられていてもよい。ハンドスキャナ１１２の読取部１１６と把持部１１８の境目に近い部分の側面も第１の実施形態と同様に２本のアーム１６０ａ’、１６０ｂ’のそれぞれの側面当接面１６８ａ’、１６８ｂ’と当接している。側面当接面１６８ａ’、１６８ｂ’は、第１の実施形態と異なり、水平面となっている。また、当接面１６６は、第１の実施形態と同様に丸味を帯びた形状となっている。
【００４８】
また、第２の実施形態の第１、第２アーム１６０ａ’、１６０ｂ’は、それらの先端部に第１立上がり部１８０ａ、第２立上がり部１８０ｂをそれぞれ有している。
【００４９】
ハンドスキャナ１１２は、載置部１１０’の２本のアーム１６０ａ’、１６０ｂ’のそれぞれの側面当接面１６８ａ’、１６８ｂ’と側面で当接しているだけでなく、さらに、上面でも第１立上がり部１８０ａ、第２立上がり部１８０ｂの背面側（基盤プレート１５８と対向している面の一部）と当接（図８Ａ参照）している。載置部１１０’の第１立上がり部１８０ａ、第２立上がり部１８０ｂの背面側が、ハンドスキャナ１１２の上面と当接することによって、載置時のハンドスキャナ１１２の差し入れ口１６４’方向への移動（ずれ）を防止することができる。本実施形態では、ハンドスキャナの上面と当接している載置部１１０’の第１立上がり部１８０ａ、第２立上がり部１８０ｂの背面側は、垂直な面となっているが、基盤プレート１５８側、もしくはその反対側に少々傾いた面であってもよい。
【００５０】
第２の実施形態の載置部１１０’は、ハンドスキャナ１１２の読取部１１６の下面に当接する当接面１６６と、ハンドスキャナ１１２の両側面と当接する２本のアーム１６０ａ’、１６０ｂ’による平坦（水平）な側面当接面１６８ａ’、１６８ｂ’と、ハンドスキャナ１１２の上面と当接し、載置時のハンドスキャナ１１２の差し入れ口１６４’方向への移動を防止する第１立上がり部１８０ａ、第２立ち上がり部１８０ｂを有するものであればよい。
【００５１】
ハンドスキャナ１１２の読取部１１６の下面が当接する載置部１１０’の当接面１６６は、ハンドスキャナ１１２の把持部１１８が傾いた姿勢（下向きでかつ垂直方向に対して所定の角度となる）となるために必要なものである。載置部１１０’の２本のアーム１６０ａ’、１６０ｂ’による側面当接面１６８ａ’、１６８ｂ’と第１立上がり部１８０ａ、第２立上がり部１８０ｂは、ハンドスキャナ１１２の把持部１１８が下向きでかつ垂直方向に対して支柱１０２側に傾いた姿勢を保つために必要なものである。
【００５２】
上記の第１及び第２の実施形態では、ケーブル１４２が、据え置き型スキャナ装置１００の支柱１０２から所定の距離の空間内（本例では例えば支柱ガード１１４の内側）に収まるようにしている。
【００５３】
なお、支柱１０２に支柱ガード１１４を設けない場合は、支柱１０２の前面及び側面から所定の距離（例えば５０ｍｍ）の空間内に収まるようにしてもよい。
【００５４】
また、本発明の据え置き型スキャナ装置は、商品のバーコードをスキャンするものとして説明したが、バーコードに限らずＱＲコード（登録商標）のような２次元コードを読み込む据え置き型スキャナ装置にも適用可能である。
【００５５】
以上、本発明の第１、および第２の実施形態について説明したが、上記の各実施形態の一部、または全部は、以下のようにもされうる。なお、以下の付記は本発明を何等限定するものではない。
【００５６】
［付記１］
支柱の前面に設けられて商品データを光学的に読み取る固定スキャナ部と、
前記商品データを光学的に読み取るハンドスキャナと、
前記支柱の側面に設けられて前記ハンドスキャナを保持する載置部と、を備え、
前記載置部は、前記ハンドスキャナを、その端部から延びるケーブルが前記支柱の前面及び側面から所定の距離の空間内に収まるように保持する、据え置き型スキャナ装置。
【００５７】
［付記２］
前記ハンドスキャナは、読取部と、把持部と、前記読取部と接続されて前記把持部の端部から導出された前記ケーブルとを有し、前記載置部は、前記ハンドスキャナを、前記読取部が上向きになりかつ前記把持部が前記支柱側に傾くように保持することによって、前記ケーブルが前記支柱の前面及び側面から所定の距離の空間内に収まるように保持する、上記付記１に記載の据え置き型スキャナ装置。
【００５８】
［付記３］
前記載置部は、基盤プレートと、前記基盤プレートから突出した互いに対向する２本のアームと、前記読取部の下面と当接する下面当接部とを備え、前記２本のアームはそれぞれ、前記ハンドスキャナの前記把持部寄りの側面と当接する側面当接部を有する、上記付記２に記載の据え置き型スキャナ装置。
【００５９】
［付記４］
前記ハンドスキャナの前記読取部と前記把持部とは、側面から見て所定の角度をなし、かつ前記ハンドスキャナの側面間が前記読取部から前記把持部に近づくにつれて狭くなる先狭形状となっており、該先狭形状となっている側面に前記側面当接部が当接する、上記付記３に記載の据え置き型スキャナ装置。
【００６０】
［付記５］
前記下面当接部は、前記基盤プレートと前記２本のアームのそれぞれの根元部、もしくは前記基盤プレートの中央部のいずれか一方に形成されている、上記付記３または４に記載の据え置き型スキャナ装置。
【００６１】
［付記６］
前記側面当接部は、前記アームの突出方向に対して上方に向かうスロープ、もしくは前記アームの突出方向に平行な水平のいずれか一方の形状を有し、前記側面当接部が水平である場合には、前記載置部は前記ハンドスキャナの上面の一部と当接する立上がり部をさらに有する、上記付記３〜５のいずれか１つに記載の据え置き型スキャナ装置。
【００６２】
［付記７］
前記前面及び側面から所定の距離の空間内とは、前記据え置き型スキャナ装置がチェッカー台に設置される際、前記支柱の前面及び側面を保護するように前記チェッカー台に設けられる支柱ガードと前記支柱との間の空間内である、上記付記１〜６のいずれか１つに記載の据え置き型スキャナ装置。
【００６３】
［付記８］
前記載置部は、前記ハンドスキャナの把持部を前記支柱に対して２５度傾けて保持する、上記付記１〜７のいずれか１つに記載の据え置き型スキャナ装置。
【００６４】
［付記９］
前記支柱は、引き出し口を有し、前記ハンドスキャナのケーブルは前記引き出し口から引き出されている、上記付記１〜８のいずれか１つに記載の据え置き型スキャナ装置。
【００６５】
［付記１０］
チェッカー台と、
前記チェッカー台に立設された支柱と、
前記支柱の前面及び側面を保護するように前記チェッカー台に設けられる支柱ガードと、
前記支柱の前面に設けられて商品データを光学的に読み取る固定スキャナ部と、
前記商品データを光学的に読み取るハンドスキャナと、
前記支柱の側面に設けられて前記ハンドスキャナを保持する載置部と、を備え、
前記載置部は、前記ハンドスキャナを、その端部から延びるケーブルが、前記支柱ガードと前記支柱との間の空間内に収まるように保持する、据え置き型スキャナシステム。
【００６６】
［付記１１］
前記ハンドスキャナは、読取部と、把持部と、前記読取部と接続されて前記把持部の端部から導出された前記ケーブルとを有し、前記載置部は、前記ハンドスキャナを、前記読取部が上向きになりかつ前記把持部が前記支柱側に傾くように保持することによって、前記ケーブルが前記空間内に収まるように保持する、上記付記１０に記載の据え置き型スキャナシステム。
【００６７】
［付記１２］
前記載置部は、基盤プレートと、前記基盤プレートから突出した互いに対向する２本のアームと、前記読取部の下面と当接する下面当接部とを備え、前記２本のアームはそれぞれ、前記ハンドスキャナの前記把持部寄りの側面と当接する側面当接部を有する、上記付記に記載１１の据え置き型スキャナシステム。
【００６８】
［付記１３］
前記ハンドスキャナの前記読取部と前記把持部とは、側面から見て所定の角度をなし、かつ前記ハンドスキャナの側面間が前記読取部から前記把持部に近づくにつれて狭くなる先狭形状となっており、該先狭形状となっている側面に前記側面当接部が当接する、上記付記１２に記載の据え置き型スキャナシステム。
【００６９】
［付記１４］
前記下面当接部は、前記基盤プレートと前記２本のアームのそれぞれの根元部、もしくは前記基盤プレートの中央部のいずれか一方に形成されている、上記付記１２または１３に記載の据え置き型スキャナシステム。
【００７０】
［付記１５］
前記側面当接部は、前記アームの突出方向に対して上方に向かうスロープ、もしくは前記アームの突出方向に平行な水平のいずれか一方の形状を有し、前記側面当接部が水平である場合には、前記載置部は前記ハンドスキャナの上面の一部と当接する立上がり部をさらに有する、上記付記１２〜１４のいずれか１つに記載の据え置き型スキャナシステム。
【００７１】
［付記１６］
前記載置部は、前記ハンドスキャナの把持部を前記支柱に対して２５度傾けて載置する、上記付記１０〜１５のいずれか１つに記載の据え置き型スキャナシステム。
【００７２】
［付記１７］
前記支柱は、引き出し口を有し、前記ハンドスキャナのケーブルは前記引き出し口から引き出されている、上記付記１０〜１６のいずれか１つに記載の据え置き型スキャナシステム。
【００７３】
［付記１８］
支柱の前面に設けられて商品データを光学的に読み取る固定スキャナ部と、
前記商品データを光学的に読み取るハンドスキャナと、を備える据え置き型スキャナ装置に適用される前記ハンドスキャナの載置構造であって、
前記支柱の側面に設けられて前記ハンドスキャナを保持する載置部を備え、
前記載置部は、前記ハンドスキャナを、その端部から延びるケーブルが前記支柱の前面及び側面から所定の距離の空間内に収まるように保持する、ハンドスキャナの載置構造。
【００７４】
［付記１９］
前記ハンドスキャナは、読取部と、把持部と、前記読取部と接続されて前記把持部の端部から導出された前記ケーブルとを有し、前記載置部は、前記ハンドスキャナを、前記読取部が上向きになりかつ前記把持部が前記支柱側に傾くように保持することによって、前記ケーブルが前記支柱の前面及び側面から所定の距離の空間内に収まるように保持する、上記付記１８に記載のハンドスキャナの載置構造。
【００７５】
［付記２０］
前記載置部は、基盤プレートと、前記基盤プレートから突出した互いに対向する２本のアームと、前記読取部の下面と当接する下面当接部とを備え、前記２本のアームはそれぞれ、前記ハンドスキャナの前記把持部寄りの側面と当接する側面当接部を有する、上記付記１９に記載のハンドスキャナの載置構造。
【００７６】
［付記２１］
前記ハンドスキャナの前記読取部と前記把持部とは、側面から見て所定の角度をなし、かつ前記ハンドスキャナの側面間が前記読取部から前記把持部に近づくにつれて狭くなる先狭形状となっており、該先狭形状となっている側面に前記側面当接部が当接する、上記付記２０に記載のハンドスキャナの載置構造。
【符号の説明】
【００７７】
１０・・・ハンドスキャナ
１１・・・スキャナ部
１２・・・載置部
１３・・・ケーブル
２０・・・チェッカー台
２１・・・支柱
２２・・・キーボード
２３・・・表示部
１００・・・据え置き型スキャナ装置
１０２・・・支柱
１０４・・・スキャナ部
１０６・・・店員用表示部
１０８・・・キーボード
１１０、１１０’・・・載置部
１１２・・・ハンドスキャナ
１１４・・・支柱ガード
１１６・・・読取部
１１８・・・把持部
１２０・・・チェッカー台
１３０・・・買物カゴ
１４２・・・ケーブル
１４４・・・ケーブルグランド
１５０・・・カート
１５２・・・基台
１５２−１・・・突出板
１５２−１ａ・・・穴
１５４Ａ、１５４Ｂ・・・モールド部品
１５４Ａ−ａ・・・穴
１５６・・・ネジ
１５８・・・基盤プレート
１６０ａ、１６０ａ’・・第１アーム
１６０ｂ、１６０ｂ’・・第２アーム
１６２・・・収容スペース
１６４、１６４’・・・差し入れ口
１６６・・・当接面
１６８ａ、１６８ｂ、１６８ａ’、１６８ｂ’・・・側面当接面
１７０・・・引き出し口
１８０ａ・・第１立上がり部
１８０ｂ・・第２立上がり部
【要約】
【課題】ハンドスキャナの不使用時に、ハンドスキャナのケーブルについて、特段の配慮をする必要のない据え置き型スキャナ装置を提供する。
【解決手段】本発明の据え置き型スキャナ装置は、支柱の前面に設けられて商品データを光学的に読み取る固定スキャナ部と、前記商品データを光学的に読み取るハンドスキャナと、前記支柱の側面に設けられて前記ハンドスキャナを保持する載置部と、を備え、前記載置部は、前記ハンドスキャナを、その端部から延びるケーブルが前記支柱の前面及び側面から所定の距離の空間内に収まるように保持する。
【選択図】図７【図１Ａ】
0005863918.tif 000002
【図１Ｂ】
0005863918.tif 000003
【図１Ｃ】
0005863918.tif 000004
【図２】
0005863918.tif 000005
【図３】
0005863918.tif 000006
【図４Ａ】
0005863918.tif 000007
【図４Ｂ】
0005863918.tif 000008
【図４Ｃ】
0005863918.tif 000009
【図４Ｄ】
0005863918.tif 000010
【図４Ｅ】
0005863918.tif 000011
【図４Ｆ】
0005863918.tif 000012
【図５】
0005863918.tif 000013
【図６】
0005863918.tif 000014
【図７】
0005863918.tif 000015
【図８Ａ】
0005863918.tif 000016
【図８Ｂ】
0005863918.tif 000017
【図８Ｃ】
0005863918.tif 000018
【図８Ｄ】
0005863918.tif 000019
【図９】
0005863918.tif 000020